(57)【要約】【課題】本発明の課題は、部品点数を増加させることなく、ファン風を利用することによって被切断材上に切粉が溜まることを抑制し、作業性の向上を図ることができる電動切断機を提供することである。【解決手段】ソーカバー４にファン７の回動によって発生するファン風１３をベース５の開口部５ａ付近に案内するよう傾斜する傾斜部４ｅ、４ｆを設けた。【選択図】　　　図１
2004142169.tif 000002
【特許請求の範囲】
【請求項１】
鋸刃と、該鋸刃を回転駆動させる電動機と、該電動機を収納するモータハウジングと、前記電動機と共に回動するファンと、前記鋸刃を回転可能に保持する鋸刃収納部を有するソーカバーと、前記モータハウジング及び前記ソーカバーの下方に設けられ、前記鋸刃を下面よりも突出可能にする開口部を有するベースとを備え、前記ソーカバーは前記モータハウジングに取付けられ、前記ベースは前記モータハウジングあるいは前記ソーカバー、もしくは前記モータハウジング及び前記ソーカバーと連結されている電動切断機であって、
前記ソーカバーに前記ファンの回動によって発生するファン風を前記ベースの開口部付近に案内するよう傾斜する傾斜部を設けたことを特徴とする電動切断機。
【請求項２】
前記ソーカバーの外周壁に複数の隔壁を設けることによってファン風排出口を形成した構成であって、前記鋸刃収納部と前記モータハウジングとの間に配置される前記ソーカバーの壁面の前記ファン排出口付近に半径方向外側に向かうに従って前記鋸刃側面との距離が小さくなるように傾斜した傾斜部を設けたことを特徴とする請求項１記載の電動切断機。
【請求項３】
前記傾斜部は前記鋸刃の刃先と前記ベース底面の交点に向かって傾斜していることを特徴とする請求項２記載の電動切断機。
【請求項４】
前記隔壁は前記ベースに向かって傾斜した形状をしていることを特徴とする請求項２記載の電動切断機。
【請求項５】
前記鋸刃収納部と前記モータハウジングとの間に配置される前記ソーカバーの壁面に設けられ、ファン風を前記鋸刃収納部側に排出するファン風排出口を形成する複数の隔壁のうち少なくとも一部の隔壁の前記鋸刃側端部に切断方向前方側に傾斜する傾斜部を設けたことを特徴とする請求項１記載の電動切断機。
【請求項６】
前記傾斜部は前記鋸刃の刃先と前記ベース底面の交点に向かって傾斜していることを特徴とする請求項５記載の電動切断機。
【請求項７】
鋸刃と、該鋸刃を回転駆動させる電動機と、該電動機を収納するモータハウジングと、前記電動機と共に回動するファンと、前記鋸刃を回転可能に保持する鋸刃収納部を有するソーカバーと、前記モータハウジング及び前記ソーカバーの下方に設けられ、前記鋸刃を下面よりも突出可能にする開口部を有するベースとを備え、前記ソーカバーは前記モータハウジングに取付けられ、前記ベースは前記モータハウジングあるいは前記ソーカバー、もしくは前記モータハウジング及び前記ソーカバーと連結されている電動切断機であって、
前記ファンの回動によって発生するファン風を前記ベースの開口部付近に案内する案内手段を設けると共に、前記ベース底面であって前記開口部の切断方向前方部分に前記開口部及び前記ベース端部と連通する溝部を設けたことを特徴とする電動切断機。
【請求項８】
前記溝部は前記鋸刃の長手方向延長線上に位置し、前記鋸刃刃先の幅寸法よりも大きな幅寸法を有することを特徴とする請求項７記載の電動切断機。
【請求項９】
前記ベース端部には前記鋸刃の刃先を指し示すガイドピースを着脱可能に設けると共に、前記ガイドピースは前記溝部と連通可能な溝部を有することを特徴とする請求項８記載の電動切断機。
【発明の詳細な説明】
【０００１】
【発明の属する技術分野】
本発明は、電動機冷却用のファンを有する携帯用丸鋸等の電動切断機（以下、携帯用丸鋸という）に関するものである。
【０００２】
【従来の技術】
従来の携帯用丸鋸の一例を図１４〜図１９に示す。
【０００３】
図に示す携帯用丸鋸は、鋸刃１と、鋸刃１を回転駆動させる電動機２と、電動機２を収納するモータハウジング３と、鋸刃１を回転可能に保持するソーカバー４と、モータハウジング３及びソーカバー４の下方に設けられ、鋸刃１を下面よりも突出可能にする開口部５ａを有するベース５とを備えた構成をし、ソーカバー４はモータハウジング３に取付けられ、ベース５はモータハウジング３あるいはソーカバー４、もしくはモータハウジング３及びソーカバー４と連結されている。
【０００４】
電動機２の動力は図示しない歯車等を介して鋸刃１に伝達され、鋸刃１は回転駆動する。電動機２には電動機２を冷却するためのファン７が取り付けられており、電動機２が回転駆動するとファン７が回動し、モータハウジング３の反ソーカバー４側端部に設けられた風窓８よりモータハウジング３内部に流入したファン風１３は図１５に示すようにモータハウジング３内部を流れ、ソーカバー４のモータハウジング３側の外周壁４ｃに複数設けられた隔壁４ａによって形成されたファン風排出口９より外部に排出される。
【０００５】
ソーカバー４のファン風排出口９はファン７からファン７の軸方向に離間した位置に設けられていると共にファン７の半径方向外側に設けられている。ファン風１３はソーカバー４の外周壁４ｃ内部を通り、鋸刃収納部４ｂとモータハウジング３との間に配置される壁面４ｄに吹き当たり、その後ファン風排出口９より外部に排出される。なお、このファン風排出口９は図１４及び図１５に示すように切断方向前方である図示右側方向に設けられており、これによってファン風１３が切断作業時に作業者に向かって排出されることを防止している（通常、切断作業時には作業者は切断方向後方側に位置する。）。
【０００６】
このようにファン７の回転によってモータハウジング３内部を流れ壁面４ｄに吹き当たったファン風１３は壁面４ｄに沿って、ファン風排出口９を介して図に示すように切断方向、すなわち鋸刃１の長手方向とほぼ平行に外部に排出されるものであった。
【０００７】
なお、この種の従来の携帯用丸鋸として、実用新案登録第２５４３２９８号公報に示すようにファン風排出口９を形成するソーカバー４の複数の隔壁４ａの設置角度をそれぞれ異なる形状とすることによって、ファン風１３がベース５上面の所定位置付近に向かって排出されるようにした構成のものがあるが、この携帯用丸鋸においてもファン風１３は鋸刃１の長手方向とほぼ平行に排出されるものであった。
【０００８】
次に従来の携帯用丸鋸の他の一例を図２０〜図２５に示す。
【０００９】
図に示す携帯用丸鋸は、上記した図１４〜図１９に示す携帯用丸鋸と同様にファン７を有するものであるが、ソーカバー４のモータハウジング３側外周壁４ｃにはファン風排出口９を形成せずに、鋸刃収納部４ｂとモータハウジング３内部との間に配置される壁面４ｄに複数の隔壁４ａを設けることによって鋸刃収納部４ｂ内にファン風１３を排出するファン風排出口９を形成した構成をしている。
【００１０】
図２４、図２５等に示すようにファン風排出口９を形成する隔壁４ａはファン７の軸方向に向かって立設した形状をしており、このため、ファン風１３はファン７の軸方向に沿って鋸刃収納部４ｂ内に排出されることとなり、その後ファン風１３は鋸刃収納部４ｂ内に位置するセーフティカバー６の側面あるいは鋸刃１の側面にほぼ直角に吹き当てられ、鋸刃収納部４ｂ内で拡散されるものであった。
【００１１】
【発明が解決しようとする課題】
携帯用丸鋸を用いた切断作業においては、切断精度を向上させるために被切断材上面にケガキ線を描き、このケガキ線に鋸刃１の刃先を合わせながら切断作業を行うことが多い。
【００１２】
しかしながら、上記したような従来の携帯用丸鋸の構成では、切断作業時に発生する切粉が被切断材上面に溜まってしまうことによってケガキ線の視認性が低下してしまい、作業性が低下してしまうという欠点があった。
【００１３】
特に切断精度の向上を図るためには、ベース５の開口部５ａの範囲内における鋸刃１の刃先と被切断材との切断部を確認する必要があるが、この開口部５ａの範囲内に位置する被切断材上面に切粉が溜まってしまうことによってケガキ線の視認性が低下し作業性が低下してしまうものであった。
【００１４】
また、ベース５の切断方向前方端部付近に鋸刃１の刃先を指し示す鋸刃１の長手方向延長線上に位置するガイド部材あるいはガイド手段と、被切断材上面に描かれたケガキ線との位置関係を確認しながら切断作業を行う際には、ベース５の切断方向前方側に位置する被切断材上に切粉が溜まってしまうことによってケガキ線の視認性が低下し作業性が低下してしまうものであった。
【００１５】
なお、上記した欠点を解消する手段として、実開昭５５−１５４１０１号公報に示すように筒状の案内パイプをファン排出口と連通するように取付け、ファン風を上記した被切断材上付近に案内することによって被切断材上に切粉が溜まることを防止するようにした構成が考えられるが、このような構成とした場合には、案内パイプがケガキ線と鋸刃の刃先との位置関係を確認する際に邪魔となってしまい、逆にケガキ線の視認性が低下してしまうと共に、部品点数が増加することで組立性の低下、高コスト化を招いてしまうものである。
【００１６】
本発明の目的は、上記した欠点を解消し、部品点数を増加させることなく、ファン風を利用することによって被切断材上に切粉が溜まることを抑制し、作業性の向上を図ることができる携帯用丸鋸を提供することである。
【００１７】
【課題を解決するための手段】
上記した目的は、モータハウジング側端部付近の外周壁にファン風排出口、鋸刃収納部とモータハウジングとの間にファン風の流通を阻止する壁面を設けたソーカバーを有する携帯用丸鋸であって、前記壁面の少なくともファン風排出口付近に位置する個所に半径方向外側に向かうに従って鋸刃側面との距離が小さくなるよう傾斜した傾斜部を設けることによって達成される。
【００１８】
更に、前記傾斜部を鋸刃の切断方向前方部とベース底面の交点付近に向かって傾斜する形状とすることによって更に作業性の向上を図ることができる。
【００１９】
更に、前記ベース底面であって開口部の切断方向前方部分に開口部及びベース端部と連通する溝部を設けることによって更に作業性の向上を図ることができる。
【００２０】
上記した目的は、鋸刃収納部とモータハウジングとの間に配置されるソーカバーの壁面に複数の隔壁を設けることによってファン風排出口を形成した携帯用丸鋸であって、前記隔壁に鋸刃側面側端部に向かうに従って切断方向前方側に傾斜する傾斜部を設けることによって達成される。
【００２１】
更に、前記傾斜部を鋸刃の切断方向前方部とベース底面の交点付近に向かって傾斜する形状とすることによって更に作業性の向上を図ることができる。
【００２２】
更に、前記ベース底面であって開口部の切断方向前方部分に開口部及びベース端部と連通する溝部を設けることによって更に作業性の向上を図ることができる。
【００２３】
【発明の実施の形態】
以下、本発明携帯用丸鋸の第１実施形態を図１〜図６を用いて説明する。
【００２４】
図に示す携帯用丸鋸は、鋸刃１と、鋸刃１を回転駆動させる電動機２と、電動機２を収納するモータハウジング３と、鋸刃１を回転可能に保持するソーカバー４と、モータハウジング３及びソーカバー４の下方に設けられ、鋸刃１を下面よりも突出可能にする開口部５ａを有するベース５とを備えた構成をし、ソーカバー４はモータハウジング３に取付けられ、ベース５はモータハウジング３あるいはソーカバー４、もしくはモータハウジング３及びソーカバー４と連結されている。なお、ソーカバー４には鋸刃１のほぼ半円部分の外周部を覆う形状をしたセーフティカバー６が鋸刃１と同心で回動可能なように保持されている。
【００２５】
電動機２の動力は図示しない歯車等を介して鋸刃１に伝達され、鋸刃１は回転駆動する。電動機２には電動機２を冷却するためのファン７が取り付けられており、電動機２が回転駆動するとファン７が回動し、モータハウジング３の反ソーカバー４側端部に設けられた風窓８よりモータハウジング３内部に流入したファン風１３は図２に示すようにモータハウジング３内部を流れ、ソーカバー４のモータハウジング３側端部付近の外周壁４ｃに複数設けられた隔壁４ａによって形成されたファン風排出口９より外部に排出される。
【００２６】
ソーカバー４のファン風排出口９はファン７からファン７の軸方向に離間した位置に設けられていると共にファン７の半径方向外側に設けられている。ファン風１３はソーカバー４の外周壁４ｃ内部を通り、鋸刃収納部４ｂとモータハウジング３との間に配置される壁面４ｄに吹き当たり、その後ファン風排出口９より外部に排出される。なお、このファン風排出口９及び案内通路１４は図２に示すように切断方向前方である図示右側方向に排出されるような位置に設けられており、これによってファン風１３が切断作業時に作業者に向かって排出されることを防止している。
【００２７】
ソーカバー４には鋸刃収納部４ｂ内にファン風１３が流入しないように、鋸刃収納部４ｂとモータハウジング３との間に壁面４ｄが配置されているが、図２及び図４、図５に示すようにこの壁面４ｄのファン風排出口９付近の個所には、傾斜部４ｅが設けられている。
【００２８】
この傾斜面４ｅは、半径方向外側に向かうに従って鋸刃１側面との距離が小さくなるよう傾斜しており、また、ファン風排出口９を形成する複数の隔壁４ａは図１に示すようにベース５、特に開口部５ａ範囲内の切断部付近に向かって傾斜した形状をしており、これによって傾斜面４ｅに沿ってファン風排出口９より排出されたファン風１３は、図に示すようにベース５の開口部５ａの範囲内に向かって排出されるようになる。このため、切断作業時に発生する切粉がベース５の開口部５ａの範囲内において被切断材上に溜まってしまうことを防止することができるようになり、ケガキ線の視認性を向上させ作業性を向上させることができるようになる。
【００２９】
また、図１及び図６に示すようにベース５底面であって、開口部５ａの切断方向前方の部分には開口部５ａと連通する溝部５ｂが開口部５ａからベース５端部にかけて設けられている。
【００３０】
溝部５ｂは鋸刃１の長手方向延長線上に設けられており、幅方向は鋸刃１の幅寸法よりも大きな寸法を有する形状をしている。
【００３１】
上記した壁面４ｄに設けた傾斜部４ｅによって開口部５ａの範囲内に排出されたファン風１３は切断作業時に開口部５ａの範囲内に位置する被切断材の上面に吹き当たり拡散するが、上記したようにベース５底面に溝部５ｂを設けた構成とすることによって、拡散したファン風１３の一部が溝部５ｂと被切断材上面との間の空間を通り被切断材上面に沿って排出されるように排出方向が決定され、ベース５端部よりも切断方向前方側に排出されるようになる。このため、ファン風１３によって開口部５ａの範囲内における被切断材上面に切粉が溜まることを抑制することができると共に、ベース５端面よりも切断方向前方側の被切断材上面においても切粉が溜まることを抑制することができ、更に作業性の向上を図ることができるようになる。
【００３２】
なお、上記した携帯用丸鋸の構成はベース５底面に対して鋸刃１の角度を傾斜可能な構成をしているが、この図示しない傾斜支点をベース５上に設けているため、ベース５底面に対して鋸刃１の角度を傾斜させた際には、ベース５に対する鋸刃１の鋸刃１の軸心方向における位置が変更することとなり、その位置は傾斜可能な最大角度まで傾斜させた際に最も移動することとなる。上記した溝部５ｂの幅はこのようにベース５底面に対する鋸刃１の角度を最大に傾斜させた際であっても、溝部５ｂ内に鋸刃１の長手方向延長線上が位置する、すなわち切断作業時にケガキ線が通るような寸法に設計されている。
【００３３】
次に本発明携帯用丸鋸の第２実施形態を図７〜図９を用いて説明する。
【００３４】
図に示す携帯用丸鋸は、上記した図１〜図６に示す携帯用丸鋸の構成とは異なり、ファン風１３をソーカバー４の鋸刃収納部４ｂ内に排出するようにした構成であり、ファン風排出口９を形成する複数の隔壁４ａの形状を工夫したものであり、その他の部位については図２０〜図２５に示す従来の携帯用丸鋸の構成と同様の構成であるので説明を省略する。
【００３５】
図７に示すように鋸刃収納部４ｂとモータハウジング３の間に配置される壁面４ｄにはファン風排出口９を形成する複数の隔壁４ａが設けられているが、この隔壁４ａのうち切断方向前方側のほぼ半分の隔壁４ａには、図８に示すように鋸刃１側端面に向かうに従って切断方向前方側に傾斜する形状をした傾斜部４ｆが設けられている。
【００３６】
このように傾斜部４ｆが設けられた隔壁４ａを介して鋸刃収納部４ｂ内に排出されたファン風１３は、鋸刃１側面あるいはセーフティーカバー６側面に傾斜した状態に吹き当てられることになるため、切断方向前方への排出方向をほとんど変えずに、鋸刃収納部４ｂの切断方向前方端部となる開口部５ａの切断方向前方端部付近に排出されることになる。このため、開口部５ａの範囲内における被切断材上面に切粉が溜まることを抑制することができ、ケガキ線の視認性及び作業性の向上を図ることができるようになる。
【００３７】
特に、開口部５ａの範囲内における鋸刃１刃先の切断方向前方付近でのケガキ線の視認性向上が要求されるが、この付近にファン風１３が排出されるように隔壁４ａ及び傾斜部４ｅの形状を設計することにより更に作業性を向上させることができる。
【００３８】
また、図７及び図９に示すようにベース５底面であって、開口部５ａの切断方向前方の部分には開口部５ａと連通する溝部５ｂが開口部５ａからベース５端部にかけて設けられている。
【００３９】
溝部５ｂは鋸刃１の長手方向延長線上に設けられており、幅方向は鋸刃１の幅寸法よりも大きな寸法を有する形状をしている。
【００４０】
上記した隔壁４ａに設けた傾斜部４ｆによって開口部５ａの範囲内に排出されたファン風１３は切断作業時に開口部５ａの範囲内に位置する被切断材の上面に吹き当たり拡散するが、上記したようにベース５底面に溝部５ｂを設けた構成とすることによって、拡散したファン風１３の一部が溝部５ｂと被切断材上面との間の空間を通り被切断材上面に沿って排出されるように排出方向が決定され、ベース５端部よりも切断方向前方側に排出されるようになる。このため、ファン風１３によって開口部５ａの範囲内における被切断材上面に切粉が溜まることを抑制することができると共に、ベース５端面よりも切断方向前方側の被切断材上面においても切粉が溜まることを抑制することができ、更に作業性の向上を図ることができるようになる。
【００４１】
なお、上記第１実施形態と同様に溝部５ｂの幅寸法はベース５底面に対する鋸刃１の角度を最大に傾斜させた際であっても、溝部５ｂ内に鋸刃１の長手方向延長線上が位置する、すなわち切断作業時にケガキ線が通るような寸法に設計されている。
【００４２】
次に本発明携帯用丸鋸の第３実施形態を図１０〜図１２を用いて以下説明する。本実施形態は、上記した第１実施形態の携帯用丸鋸、あるいは第２実施形態の携帯用丸鋸のベース５の形状を工夫したものであり、その他の部位については第１実施形態あるいは第２実施形態の構成と同様であるため詳細な説明を省略する。
【００４３】
図１０はベース５の底面を表す携帯用丸鋸の背面斜視図であるが、図に示すようにベース５底面の開口部５ａの切断方向前方の部分には開口部５ａと連通し、切断方向前方端部まで延びる溝部５ｂが設けられている。溝部５ｂは鋸刃１の長手方向延長線上に設けられるものであり、その幅方向は鋸刃１の刃先部の幅寸法よりも大きい形状をしている。図に示すようにベース５の切断方向前方端部には鋸刃１の刃先を指し示すガイドピース５ｃが設けられている。
【００４４】
ガイドピース５ｃにはベース５底面に対する鋸刃１の角度が直角である際に鋸刃１の長手方向延長線上に位置し鋸刃１の刃先を指し示すガイド部５ｄと、ベース５底面に対する鋸刃１の角度が直角以外に最も多く作業を行う４５度の際に鋸刃１の刃先を指し示すガイド部５ｅが設けられている。図に示すようにガイドピース５ｃはその底面がベース５底面よりも上方に位置するように設けられており、これによって溝部５ｂに流れ出たファン風１３がガイドピース５ｃ下方を通りベース５反部よりも切断方向前方側に排出されるようになる。なお、ガイド部５ｄ及び５ｅはケガキ線との相対関係が確認しやすいようにベース５底面とほぼ同一面となるように下方に延びた形状をしている。
【００４５】
次に本発明携帯用丸鋸の第４実施形態を図１３を用いて以下説明する。本実施形態は、上記した第３実施形態の溝部５ｂの形状を工夫したものである。
【００４６】
図に示すように溝部５ｂの形状を開口部５ａに向かうに従って鋸刃１の回転軸方向においてモータハウジング３側に向かって広がる形状としたものである。これは、第１実施形態あるいは第２実施形態の構成では、比較的ファン風１３が鋸刃１よりもモータハウジング３側に排出されるため（特に第２実施形態の構成では鋸刃１よりもモータハウジング３側に排出される）であり、より多くのファン風１３がベース５端部よりも切断方向前方側の被切断材上面に排出されるようにしたためである。
【００４７】
この他にも例えば溝部５ｂの形状を開口部５ａに向かうに従ってベース５底面よりも上方に広がる形状とすること、鋸刃１の回転軸方向に広がる形状とすることによっても、ファン風１３がベース５端部よりも切断方向前方側の被切断材上面に排出される排出量を増加させることができる。
【００４８】
【発明の効果】
本発明によれば、上記したようにソーカバーにファンの回動によって発生するファン風をベースの開口部付近に案内するよう傾斜する傾斜部を設けたことによって、部品点数を増加させることなく、ファン風を利用することによって被切断材上に切粉が溜まることを抑制し、作業性の向上を図ることができる携帯用丸鋸を提供することができるようになる。
【図面の簡単な説明】
【図１】本発明携帯用丸鋸の第１実施形態を示す正面図。
【図２】本発明携帯用丸鋸の第１実施形態を示す要部断面平面図。
【図３】本発明携帯用丸鋸の第１実施形態を示す要部断面平面図。
【図４】本発明携帯用丸鋸を構成するソーカバーの第１実施形態を示す背面図。
【図５】図４のＡ−Ａ線断面図。
【図６】本発明携帯用丸鋸の第１実施形態を示す底面斜視図。
【図７】本発明携帯用丸鋸の第２実施形態を示す正面図。
【図８】本発明携帯用丸鋸の第２実施形態を示す要部断面平面図。
【図９】本発明携帯用丸鋸の第２実施形態を示す底面図。
【図１０】本発明携帯用丸鋸の第３実施形態を示す底面斜視図。
【図１１】本発明携帯用丸鋸の第３実施形態の要部拡大斜視図。
【図１２】本発明携帯用丸鋸の第３実施形態の一作業状態を示す斜視図。
【図１３】本発明携帯用丸鋸の第４実施形態を示す底面斜視図。
【図１４】従来の携帯用丸鋸の一例を示す要部断面正面図。
【図１５】従来の携帯用丸鋸の一例を示す要部断面平面図。
【図１６】従来の携帯用丸鋸の一例を示す要部断面側面図。
【図１７】従来の携帯用丸鋸の一例を示す斜視図。
【図１８】従来の携帯用丸鋸を構成するソーカバーの一例を示す背面斜視図。
【図１９】従来の携帯用丸鋸を構成するソーカバーの一例を示す背面図。
【図２０】従来の携帯用丸鋸の他の例を示す要部断面正面図。
【図２１】従来の携帯用丸鋸の他の例を示す要部断面平面図。
【図２２】従来の携帯用丸鋸の他の例を示す要部断面側面図。
【図２３】従来の携帯用丸鋸の他の例を示す斜視図。
【図２４】従来の携帯用丸鋸を構成するソーカバーの他の例を示す背面斜視図。
【図２５】従来の携帯用丸鋸を構成するソーカバーの他の例を示す背面図。
【符号の説明】
１は鋸刃、２は電動機、３はモータハウジング、４はソーカバー、４ａは隔壁、４ｂは鋸刃収納部、４ｃは外周壁、４ｄは壁面、４ｅは傾斜部、４ｆは傾斜部、５はベース、５ａは開口部、５ｂは溝部、６はセーフティカバー、７はファン、８は風窓、９はファン風排出口、１３はファン風である。
【図１】
2004142169.tif 000003
【図２】
2004142169.tif 000004
【図３】
2004142169.tif 000005
【図４】
2004142169.tif 000006
【図５】
2004142169.tif 000007
【図６】
2004142169.tif 000008
【図７】
2004142169.tif 000009
【図８】
2004142169.tif 000010
【図９】
2004142169.tif 000011
【図１０】
2004142169.tif 000012
【図１１】
2004142169.tif 000013
【図１２】
2004142169.tif 000014
【図１３】
2004142169.tif 000015
【図１４】
2004142169.tif 000016
【図１５】
2004142169.tif 000017
【図１６】
2004142169.tif 000018
【図１７】
2004142169.tif 000019
【図１８】
2004142169.tif 000020
【図１９】
2004142169.tif 000021
【図２０】
2004142169.tif 000022
【図２１】
2004142169.tif 000023
【図２２】
2004142169.tif 000024
【図２３】
2004142169.tif 000025
【図２４】
2004142169.tif 000026
【図２５】
2004142169.tif 000027